(57)【要約】  映像記録装置１００は、当該装置の筺体の表示部１２１と同一面に配置された第一撮像部１２３（インカメラ）と、当該装置の筺体の表示部と異なる面に配置された第二撮像部１２４（アウトカメラ）と、映像信号の記録を指示する命令音声を入力する音声入力部１３３を有する。制御部１０４は、いずれの撮像部が有効化されたかに応じて、命令音声が入力してから記録部による記録処理を開始するまでの遅延時間を異ならせ、第一撮像部１２３が有効化された場合の遅延時間を、第二撮像部１２４が有効化された場合の遅延時間よりも大きくする。
2015037104.tif 000002
【特許請求の範囲】
【請求項１】
撮像部と表示部と記録部を備え、前記撮像部から入力した映像信号を前記表示部に表示するとともに該映像信号を前記記録部により記録する映像記録装置において、
前記撮像部は、
当該装置の筺体の前記表示部と同一面に配置された第一撮像部と、
当該装置の筺体の前記表示部と異なる面に配置された第二撮像部と、を有し、
前記第一撮像部及び前記第二撮像部のいずれを有効化するかを選択する操作部と、
前記映像信号の記録を指示する命令音声を入力する音声入力部と、
前記音声入力部に入力した前記命令音声に従い、前記記録部に対し、前記操作部により有効化された撮像部から入力する映像信号の記録処理を開始させる制御部と、を備え、
該制御部は、前記操作部によりいずれの撮像部が有効化されたかに応じて、前記命令音声が入力してから前記記録部による記録処理を開始するまでの遅延時間を異ならせることを特徴とする映像記録装置。
【請求項２】
請求項１に記載の映像記録装置において、
前記制御部は、前記操作部により前記第一撮像部が有効化された場合の前記遅延時間を、前記第二撮像部が有効化された場合の前記遅延時間よりも大きくなるように設定することを特徴とする映像記録装置。
【請求項３】
請求項１または２に記載の映像記録装置において、
前記制御部の設定する前記遅延時間は、ユーザにより任意に設定または選択が可能であることを特徴とする映像記録装置。
【請求項４】
請求項１または２に記載の映像記録装置において、
前記映像信号の記録を指示するために用いる命令音声を予め登録する記憶部と、
前記音声入力部に入力した命令音声が前記記憶部に登録された命令音声と一致するか否かを判定する命令音声認識部とを備え、
前記制御部は、前記命令音声識別により入力した命令音声が前記記憶部に登録された命令音声と一致しないと判定した時、前記入力した命令音声を無効にすることを特徴とする映像記録装置。
【請求項５】
請求項１または２に記載の映像記録装置において、
前記制御部は、前記表示部に対し、前記記録部による記録処理が開始されるタイミングを示す記録タイミング表示アイコンを表示することを特徴とする映像記録装置。
【請求項６】
請求項５に記載の映像記録装置において、
前記制御部は、前記遅延時間が閾値よりも大きい場合にのみ前記記録タイミング表示アイコンを表示することを特徴とする映像記録装置。
【請求項７】
請求項１乃至６のいずれか一項に記載の映像記録装置であって、
当該装置は、前記記録部により１枚の静止画を単位として記録するデジタルスチルカメラを含むことを特徴とする映像記録装置。
【請求項８】
請求項１乃至６のいずれか一項に記載の映像記録装置であって、
当該装置は、電話網通信部により外部機器と通話を可能とするカメラ付き携帯電話を含むことを特徴とする映像記録装置。
【請求項９】
請求項１乃至６のいずれか一項に記載の映像記録装置であって、
当該装置は、無線通信部により外部機器と無線通信を介して情報を送受信する携帯情報端末を含むことを特徴とする映像記録装置。
【請求項１０】
撮像部から入力した映像信号を記録部により記録するカメラ機能制御プログラムであって、
前記撮像部として、筺体の表示部と同一面に配置された第一撮像部と、前記表示部と異なる面に配置された第二撮像部のいずれを有効化するかを選択する撮像部選択工程と、
前記映像信号の記録を指示する命令音声を入力する音声入力工程と、
前記音声入力工程で入力した命令音声が予め登録された命令音声と一致するか否かを判定する命令音声認識工程と、
前記命令音声認識工程により一致すると判定された場合、前記撮像部選択工程にていずれの撮像部が有効化されたかに応じて、前記命令音声が入力してから前記記録部による記録処理を開始するまでの遅延時間を異ならせて遅延処理を行う遅延処理工程と、
前記遅延処理工程の後に、前記有効化された撮像部から入力する映像信号の記録処理を行う記録工程と、
をコンピュータに実行させることを特徴とするカメラ機能制御プログラム。
【発明の詳細な説明】
【技術分野】
【０００１】
本発明は、複数の撮像部を備える映像記録装置およびカメラ機能制御プログラムに関する。
【背景技術】
【０００２】
被写体像をＣＣＤ（Charge Coupled Device）等の電子デバイスにより電気信号に変換してメモリに記録するデジタルカメラの普及が著しい。また最近では、このデジタルカメラ機能が携帯電話やスマートホン、タブレット端末等の情報端末機器に搭載されることも一般的となった。【０００３】
デジタルカメラにおいて記録処理開始のトリガとなるのは、旧来の銀塩カメラと同様に、シャッタボタンへの押下操作である場合が多い。若しくは、デジタルカメラ機能を備えた情報端末機器においては、タッチパネル機能付きモニタ部に表示されたシャッタアイコン等へのタップ操作が記録処理開始のトリガとなる場合もある。前記いずれの操作も所謂「手振れ」の原因となり得る。前記「手振れ」の発生を回避する手段として、音声認識をトリガとして記録処理を行う技術が多数発表されている。【０００４】
その一例として特許文献１には、「音声認識カメラにおいて被写体の動作に合わせて自然なポーズで写真撮影ができるようにする」ことを目的とし、「命令音声として、認識されたら直ちに撮影動作をさせるものと、認識された後所定時間経過したときに撮影動作をさせるものとの２種類を設け、後者の命令音声が認識されたときは、カメラの撮影動作を予め設定された時間だけ遅らせる」技術が記載されている。
【先行技術文献】
【特許文献】
【０００５】
【特許文献１】特開平１−１９１８４０公報
【発明の概要】
【発明が解決しようとする課題】
【０００６】
特許文献１に記載の技術によれば、音声認識カメラにおいて命令音声が認識されてからカメラの撮影動作開始までの間に所定の遅延時間を設けたので、被写体の動作に合わせた自然なポーズで写真撮影ができる、と述べられている。しかしながら、複数の命令音声を予め登録しておき、撮影目的により命令音声を使い分けることは、カメラの使い勝手を低下させ、更には、命令音声の選択を誤れば折角の撮影タイミングを逃してしまうことになる。【０００７】
近年のカメラ付き携帯電話やスマートホン等の情報端末機器（映像記録装置）では、２つのカメラユニットを有し、一方はモニタと同一面（表面）側、他方はモニタと反対面（背面）側に備えている。このような情報端末機器で被写体の撮影を行う場合、ユーザの前方に位置する被写体については、モニタの反対面に備えられたカメラユニット（アウトカメラ）を用いて撮影し、前記モニタをファインダーとして使用する。一方、ユーザ自身を被写体とする自画撮りの場合は、モニタと同一面に備えられたカメラユニット（インカメラ）を用いて撮影し、前記モニタは自画像を確認するために使用する。【０００８】
このような２つのカメラユニットを有する情報端末機器（映像記録装置）において、ユーザの発した音声をトリガとして撮影開始（記録開始）する場合を想定する。まず、アウトカメラを用いてユーザの前方に位置する被写体を撮影する場合は、音声認識したら直ちに撮影開始することで通常は問題ない。一方、インカメラを用いて自画撮りを行う場合は、音声認識して直ちに撮影開始すると、ユーザの口の形が命令音声を発した直後の状態で撮影されることになり問題である。これを避けるためには、音声認識から撮影開始まで所定時間だけ遅延させねばならない。【０００９】
このように、アウトカメラとインカメラの２つを備える情報端末機器（映像記録装置）において音声認識機能を適用する場合、自然なポーズで被写体を撮影するためには、いずれのカメラを使用するかによって撮影タイミングを調整する必要がある。このような課題については、特許文献１始め従来技術では開示も示唆もなされていない。【００１０】
本発明の目的は、上記課題を鑑み、アウトカメラとインカメラのように複数の撮像部を備える映像記録装置において、自然なポーズで被写体を撮影でき、かつ使い勝手を向上させることである。
【課題を解決するための手段】
【００１１】
前記課題を解決するための手段として、特許請求の範囲に記載の技術を用いる。すなわち本発明は、撮像部と表示部と記録部を備え、撮像部から入力した映像信号を表示部に表示するとともに映像信号を記録部により記録する映像記録装置であって、撮像部は、当該装置の筺体の表示部と同一面に配置された第一撮像部と、当該装置の筺体の表示部と異なる面に配置された第二撮像部と、を有し、第一撮像部及び第二撮像部のいずれを有効化するかを選択する操作部と、映像信号の記録を指示する命令音声を入力する音声入力部と、音声入力部に入力した命令音声に従い、記録部に対し、操作部により有効化された撮像部から入力する映像信号の記録処理を開始させる制御部と、を備え、制御部は、操作部によりいずれの撮像部が有効化されたかに応じて、命令音声が入力してから記録部による記録処理を開始するまでの遅延時間を異ならせることを特徴とする。ここに前記制御部は、操作部により第一撮像部が有効化された場合の遅延時間を、第二撮像部が有効化された場合の遅延時間よりも大きくなるように設定する。
【発明の効果】
【００１２】
本発明によれば、アウトカメラとインカメラのように複数の撮像部を備える映像記録装置において、自然なポーズで被写体を撮影でき、かつ使い勝手を向上できる。
【図面の簡単な説明】
【００１３】
【図１】本発明による映像記録装置の一実施例を示すブロック図。
【図２】映像記録装置１００のソフトウェア構成図。
【図３】映像記録装置１００を含む通信システムの構成図。
【図４】映像記録装置１００の外観図。
【図５】表示部１２１に表示される基本画面の例を示す図。
【図６】カメラ機能選択画面の例を示す図。
【図７】命令音声登録画面の例を示す図。
【図８】ライブビュー表示画面の例を示す図。
【図９】記録開始遅延時間の切り換え制御を説明する図。
【図１０】映像記録装置１００のカメラ動作の流れを示すフローチャート。
【図１１】命令音声登録処理（Ｓ６００）の流れを示すフローチャート。
【図１２】２つのカメラ映像を合成して表示する画面例を示す図。
【図１３】記録タイミングを表示する画面例を示す図。
【発明を実施するための形態】
【００１４】
以下、本発明の実施形態を、図面を用いて説明する。以下の説明では、本発明を適用する装置を「映像記録装置」と呼び、複数のカメラ（アウトカメラとインカメラ）からの映像信号を記録媒体に記録する装置であれば良い。具体的には、電話網通信部により外部機器と通話を可能とするカメラ付き携帯電話やスマートホン、タブレット端末の他、１枚の静止画を単位として記録するデジタルスチルカメラ、無線通信部により外部機器と無線通信を介して情報を送受信する携帯情報端末（ＰＤＡ、Personal Digital Assistants）、ノート型ＰＣ（Personal Computer）であっても良い。また、動画撮影可能なビデオカメラや携帯型ゲーム機等、またはその他の携帯用デジタル機器であっても良い。
【００１５】
図１は、本発明による映像記録装置の一実施例を示すブロック図である。ここでは映像記録装置１００として、スマートホンやタブレット端末の場合を想定する。映像記録装置１００は、主制御部１０１、システムバス１０２、ＲＯＭ１０３、ＲＡＭ１０４、ストレージ部１１０、映像処理部１２０、音声処理部１３０、操作部１４０、通信処理部１５０、センサ部１６０、拡張インタフェース部１７０を備える。
【００１６】
主制御部１０１は、所定のプログラムに従って映像記録装置１００全体を制御するマイクロプロセッサユニットである。システムバス１０２は、主制御部１０１と映像記録装置１００内の各部との間でデータ送受信を行うためのデータ通信路である。
【００１７】
ＲＯＭ（Read Only Memory）１０３は、オペレーティングシステムなどの基本動作プログラムやその他のアプリケーションプログラムが格納されたメモリであり、例えばＥＥＰＲＯＭ（Electrically Erasable Programmable ROM）やフラッシュＲＯＭのような書き換え可能なＲＯＭが用いられる。ＲＡＭ（Random Access Memory）１０４は、基本動作プログラムやその他のアプリケーションプログラムを実行する時のワークエリアとなる。ＲＯＭ１０３とＲＡＭ１０４は主制御部１０１と一体構成であっても良い。
【００１８】
ストレージ部１１０は、映像記録装置１００で撮影した静止画像データや動画像データ等を記憶する。また、映像記録装置１００の各動作設定値や映像記録装置１００のユーザの情報（命令音声データ）等を記憶する。更に、カメラ機能を実現するための各種プログラムを記憶し、これらのプログラムはＲＡＭ１０４にて実行される。ストレージ部１１０は、映像記録装置１００に電源が供給されていない状態であっても記憶している情報を保持する必要があるので、例えばフラッシュＲＯＭやＳＳＤ（Solid State Drive）、ＨＤＤ（Hard Disc Drive）等のデバイスを用いる。
【００１９】
映像処理部１２０は、表示部１２１、映像信号処理部１２２、第一撮像部１２３、第二撮像部１２４、で構成される。表示部１２１は、例えば液晶パネル等の表示デバイスであり、映像信号処理部１２２で処理した映像データを表示してユーザに提供する。映像信号処理部１２２は図示しないビデオＲＡＭを備え、入力された映像データを表示部１２１に表示させる。また映像信号処理部１２２は、必要に応じてフォーマット変換、メニューやその他のＯＳＤ（On Screen Display）信号の重畳処理等を行う。第一撮像部１２３及び第二撮像部１２４はそれぞれ独立したカメラユニットで、ＣＣＤやＣＭＯＳ（Complementary Metal Oxide Semiconductor）センサ等の電子デバイスを用いてレンズから入力した光を電気信号に変換し、被写体の映像データを取得する。後述するように、例えば第一撮像部１２３はユーザ自身を撮影するインカメラ、第二撮像部１２４は周囲の被写体を撮影するアウトカメラとして使い分ける。ここでは２つの撮像部を有する構成としたが、インカメラとアウトカメラの２つの機能を備えるものであれば、撮像部は複数個有しても良い。なお、第二撮像部１２４は映像記録装置１００と別体とし、有線通信または無線通信により映像記録装置１００と接続される構成であっても良い。
【００２０】
音声処理部１３０は、音声出力部１３１、音声信号処理部１３２、音声入力部１３３、で構成される。音声出力部１３１はスピーカであり、音声信号処理部１３２で処理した音声を出力する。音声入力部１３３はマイクであり、ユーザの命令音声などを音声データに変換して入力する。なお、音声入力部１３３は映像記録装置１００と別体とし、有線通信または無線通信により映像記録装置１００と接続する構成でも良い。
【００２１】
操作部１４０は、映像記録装置１００に対するユーザの操作指示を入力する部分である。例えば、表示部１２１に重ねて配置したタッチパネルやボタンスイッチを並べた操作キーで構成する。このタッチパネル機能は、表示部１２１が備えている機能を利用しても良い。なお、後述の拡張インタフェース部１７０に接続したキーボード等から操作を行っても良い。更には、有線通信または無線通信により接続された別体の情報端末機器から操作を行っても良い。
【００２２】
通信処理部１５０は、ＬＡＮ（Local Area Network）通信部１５１、移動体電話網通信部１５２、近接無線通信部１５３、で構成される。ＬＡＮ通信部１５１は、インターネットの無線通信用アクセスポイントと無線通信により接続してデータの送受信を行う。移動体電話網通信部１５２は、移動体電話通信網の基地局との無線通信により、電話通信（通話）及びデータの送受信を行う。近接無線通信部１５３は、対応するリーダ／ライタとの近接時に無線通信を行う。ＬＡＮ通信部１５１、移動体電話網通信部１５２、近接無線通信部１５３は、それぞれ符号回路や復号回路、アンテナ等を備える。更に、赤外線通信部等を備えていても良い。
【００２３】
センサ部１６０は、映像記録装置１００の状態を検出するためのセンサ群であり、ＧＰＳ（Global Positioning System）受信部１６１、加速度センサ１６２、ジャイロセンサ１６３、地磁気センサ１６４、照度センサ１６５、近接センサ１６６、で構成される。これらのセンサ群により、映像記録装置１００の位置、動き、傾き、方角、及び周囲の明るさ、周囲物の近接状況、等を検出する。更にその他のセンサを備えていても良い。
【００２４】
拡張インタフェース部１７０は、映像記録装置１００の機能を拡張するためのインタフェース群であり、映像／音声インタフェース、ＵＳＢ（Universal Serial Bus）インタフェース、メモリインタフェース等で構成される。映像／音声インタフェースは、外部映像／音声出力機器からの映像信号／音声信号の入力、外部映像／音声入力機器への映像信号／音声信号の出力、等を行う。ＵＳＢインタフェースはキーボードやその他のＵＳＢ機器の接続を行う。メモリインタフェースはメモリカードやその他のメモリ媒体を接続してデータの送受信を行う。
【００２５】
スマートホンやタブレット端末といった情報端末機器では、更に、デジタルテレビ放送受信機能や電子マネー決済機能等の構成が加えられていても良い。なお、図１に示した映像記録装置１００は情報端末機器を想定したため、通信処理部１５０やセンサ部１６０等、本発明を実行するために必須ではない構成を含んでおり、これらが備えられていない構成であっても本発明の動作が可能である。
【００２６】
図２は、本実施例の映像記録装置１００のソフトウェア構成図であり、ＲＯＭ１０３、ＲＡＭ１０４、及びストレージ部１１０におけるソフトウェア構成を示す。
ＲＯＭ１０３は、オペレーティングシステムなどの基本動作プログラム１０３ａやその他のアプリケーションプログラム１０３ｂを格納する。ＲＯＭ１０３に格納されたプログラムを更新することにより、基本動作プログラムやその他のアプリケーションプログラムのバージョンアップや機能拡張が可能となる。
【００２７】
ＲＡＭ１０４は、各種プログラム実行時のワークエリアであり、基本動作実行部１０４ａ、カメラ機能実行部１０４ｂ、音声認識実行部１０４ｃ、タイミング表示実行部１０４ｄ、一次記憶領域１０４ｅ等で構成される。例えば基本動作実行部１０４ａは、ＲＯＭ１０３に格納された基本動作プログラム１０３ａがＲＡＭ１０４に展開され、主制御部１０１が展開された基本動作プログラムを実行することで構成される。一方、カメラ機能実行部１０４ｂ、音声認識実行部１０４ｃ、及びタイミング表示実行部１０４ｄは、ストレージ部１１０に記憶されたカメラ機能プログラム１１０ｂ、音声認識プログラム１１０ｃ、及びタイミング表示プログラム１１０ｄがＲＡＭ１０４に展開され、主制御部１０１により実行されることによって構成される。一時記憶領域１０４ｅは、各種アプリケーションプログラム実行時に、必要に応じてデータを一時的に保持する領域である。本実施例では、カメラ機能実行部１０４ｂ、音声認識実行部１０４ｃ、及びタイミング表示実行部１０４ｄにより実行するカメラ動作（記録開始のタイミング切り替え）に特徴がある。
【００２８】
ストレージ部１１０は、各種情報／データ記憶領域１１０ａを有するとともに、カメラ機能プログラム１１０ｂ、音声認識プログラム１１０ｃ、及びタイミング表示プログラム１１０ｄを格納している。各種情報／データ記憶領域１１０ａには、映像記録装置１００で撮影した静止画像データや動画像データ等を記憶し、また映像記録装置１００の各動作設定値やユーザの情報等を記憶する。カメラ機能プログラム１１０ｂは第一撮像部１２３と第二撮像部１２４のいずれを使用するかに応じて、記録開始までの遅延時間を切り替える制御を行うものである。音声認識プログラム１１０ｃは、ユーザの音声を登録するとともに、トリガ操作として入力した命令音声が正しいかどうかを認識するためのものである。タイミング表示プログラム１１０ｄは、記録開始を遅延させるときに記録開始のタイミングを画面表示するためのものである。なお、上記の各プログラム１１０ｂ〜１１０ｄは、それぞれの機能を有する只一つのプログラムに統合しても良い。
【００２９】
なお、ＲＯＭ１０３は、図１、図２に示したような独立構成とはせず、ストレージ部１１０内の一部記憶領域（その他のプログラム１１０ｅ）を使用しても良い。更に、上記したカメラ機能実行部１０４ｂ、音声認識実行部１０４ｃ、タイミング表示実行部１０４ｄについては、同等の動作を実現するハードウェアにて構成するものであっても良い。
【００３０】
図３は、本実施例の映像記録装置１００を含む通信システムの構成図である。映像記録装置１００は、無線通信用アクセスポイント２０２を介しインターネット等の広域公衆ネットワーク２０１に接続される。また映像記録装置１００は、移動体電話通信網の基地局２０３を介し移動体電話通信サーバ２１３に接続される。広域公衆ネットワーク２０１には、アプリケーションサーバ２１１、画像データサーバ２１２、移動体電話通信サーバ２１３が接続されている。映像記録装置１００の通信処理部１５０において、ＬＡＮ通信部１５１は、インターネット２０１の無線通信用アクセスポイント２０２に接続してデータの送受信を行う。また移動体電話網通信部１５２は、移動体電話通信網の基地局２０３に接続してデータの送受信を行う。
【００３１】
このような通信システムを利用することで、映像記録装置１００は、アプリケーションサーバ２１１から、インターネット２０１及び無線通信用アクセスポイント２０２若しくは移動体電話通信網の基地局２０３を介して、新規アプリケーションプログラムをダウンロードすることができる。この際、ダウンロードした新規アプリケーションプログラムは、ストレージ部１１０に記憶される。主制御部１０１は、ストレージ部１１０に記憶された新規アプリケーションプログラムをＲＡＭ１０４に展開して実行することにより、映像記録装置１００の新規な機能を実現し機能拡張が可能となる。
【００３２】
前記した各プログラムは、製品出荷の時点で、予め映像記録装置１００のＲＯＭ１０３若しくはストレージ部１１０等に格納された状態であっても良い。製品出荷後に、インターネット２０１上のアプリケーションサーバ２１１等からＬＡＮ通信部１５１若しくは移動体電話網通信部１５２を介して取得するものであっても良い。また、メモリカード等に格納された前記プログラムを、拡張インタフェース部１７０を介して取得しても良い。
【００３３】
図４は、本実施例の映像記録装置１００の外観図を示す。なお、ここでは映像記録装置１００がスマートホン等の情報端末機器の場合を示し、（ａ）は表面図、（ｂ）は背面（裏面）図である。映像記録装置１００において表面側には表示部１２１を有する。第一撮像部（カメラユニット）１２３は表示部１２１と同一面（表面）に配置し、第二撮像部（カメラユニット）１２４は表示部１２１の反対面（背面）に配置するものとする。以下では、表示部１２１と同一面に配置する第一撮像部１２３を「インカメラ」、表示部１２１の反対面に配置する第二撮像部１２４を「アウトカメラ」と呼ぶ。なお、第二撮像部１２４の位置は、表示部１２１と同一面でなければ側面などに配置しても構わない。第一撮像部１２３（インカメラ）では被写体として主にユーザ自身を撮影し、第二撮像部１２４（アウトカメラ）では周囲の被写体を撮影する。
【００３４】
映像記録装置１００に対するユーザからの操作指示を受け付ける操作部１４０として、表示部１２１に重ねて配置したタッチパネル１４１やボタンスイッチによる各種操作キー（電源キー１４２、ホームキー１４３）を有する。その他、音声出力部（スピーカ）１３１と音声入力部（マイク）１３３を有する。
【００３５】
次に、映像記録装置１００の各種動作に伴って表示部１２１に表示される各種画面の例を示す。
図５は、表示部１２１に表示される基本画面の例を示す図である。基本画面３００は、電源キー１４２の押下により映像記録装置１００の電源がオンされた際に、若しくは、任意のアプリケーションプログラムの実行中にホームキー１４３が押下された際に表示される。基本画面３００に表示されるアイコン群３０１は、映像記録装置１００で実行可能な各アプリケーションプログラムに関連付けられたアイコンの集まりである。いずれかのアイコンを選択することにより、選択されたアイコンに関連付けられた所定のアプリケーションプログラムが実行される。この中でアイコン３０２は、本実施例の映像記録装置１００の特徴を為すカメラ機能を実行するときのアイコンである。
【００３６】
なお、アイコンの選択は、目的のアイコンが表示された表示部１２１上の位置に対応するタッチパネル１４１上の領域をタップ操作すれば良い。あるいは、図示しない十字カーソルキー及び決定キー等の操作キーを操作して行っても良い。
【００３７】
図６は、カメラ機能の開始時に表示されるカメラ機能選択画面の例を示す図である。カメラ機能選択メニュー画面３１０は、アウトカメラで撮影する場合のアウトカメラ選択アイコン３１１、インカメラで撮影する場合のインカメラ選択アイコン３１２、命令音声を登録する場合の命令音声登録アイコン３１３、記録開始遅延時間を設定する場合の遅延時間設定アイコン３１４、及び終了アイコン３１５で構成される。ユーザは撮影対象に応じてカメラを選択する。あるいは、命令音声が未登録の場合は、撮影に先立って命令音声の登録を行う。
【００３８】
図７は、命令音声を登録する際に表示される命令音声登録画面の例を示す図である。命令音声登録画面３２０は、録音開始／停止アイコン３２１、再生開始／停止アイコン３２２、及び戻るアイコン３２３で構成される。録音時は録音開始／停止アイコン３２１を選択し、ユーザが発した音声は音声入力部１３３から入力して記憶する。再生時は再生開始／停止アイコン３２２を選択し、記憶されているユーザの音声を音声出力部１３１から出力する。
【００３９】
図８は、カメラ映像を表示するライブビュー表示画面の例を示す図である。ライブビュー表示画面３３０は、命令音声受付中アイコン３３１、ライブビューウィンドウ３３２、シャッタアイコン３３３、及び終了アイコン３３４で構成される。
【００４０】
ライブビューウィンドウ３３２は、第一撮像部１２３（インカメラ）若しくは第二撮像部１２４（アウトカメラ）から入力した映像データをそのまま表示する。この例では、第二撮像部１２４から入力したアウトカメラビューを表示している。ユーザは、ライブビューウィンドウ３３２に表示された映像を確認しながら、撮影を行おうとする被写体の構図等を調整する。また、ライブビューウィンドウ３３２の上部位置でピンチアウト／イン等のタッチパネル操作をすることにより、表示されている映像のズームイン／アウトの制御を行う。
【００４１】
命令音声受付中アイコン３３１は、音声入力部１３３から入力する命令音声をトリガとして記録処理を開始できることを示す。すなわち、アイコン３３１を表示することで、音声入力機能が有効化されていることを示す（あるいは、アイコン３３１の形状を変えて有効化されていることを示しても良い）。一方シャッタアイコン３３３は、シャッタアイコンの選択をトリガとして記録処理を開始するために用いる。ユーザは記録処理開始のトリガとして、音声入力部１３３とシャッタアイコン３３３のいずれも使用することができる。なお、音声入力をトリガとする機能を有効にするか否かは、ユーザが選択できるものとする。
【００４２】
以下、本実施例の映像記録装置１００の特徴であるカメラ機能（記録開始の遅延動作）について説明する。
一般の被写体撮影においては、シャッタ操作（本実施例においては、記録処理開始のトリガとなる命令音声入力を含む）から記録処理が開始されるまでの遅延時間は、限りなくゼロに近いことが望ましい。しかしながら、音声入力をトリガとして記録処理を開始するカメラでユーザ自身を撮影する場合（自画撮り）においては、ユーザの口の形が命令音声を発した直後の状態で撮影されることから好ましくない。これを避けるため本実施例では、命令音声の入力から記録処理が開始されるまでの間に、所定の遅延時間を設けるようにした。すなわち、撮影対象（外部被写体／自画像）や撮影方法（アウトカメラ／インカメラ）に応じて、記録開始のトリガを検知してから記録処理が開始されるまでの遅延時間を切り換えるように制御する。
【００４３】
図９は、記録開始遅延時間の切り換え制御を説明する図である。本実施例の映像記録装置１００では、遅延時間の切り換え制御を、２つのカメラのいずれを使用するかに連動して行うようにしている。
【００４４】
制御シーケンスは、トリガ操作開始４０１（命令音声の入力）を受けると、トリガ認識処理４０２（命令音声の認識処理）と所定時間の待機処理４０３を行った後、記録処理開始４０４とする。そして、所定の記録シーケンス４０５（映像データの記憶）を実行し記録処理終了４０６とする。
【００４５】
（ａ）のように、第二撮像部１２４（アウトカメラ）を使用して被写体の撮影を行う場合には、待機時間Ｔａの待機処理４０３を実行する。一方（ｂ）のように、第一撮像部１２３（インカメラ）を使用して被写体の撮影を行う場合には、待機時間Ｔｂの待機処理４０３を実行する。ここに両者の待機時間は異なり、待機時間Ｔａよりも待機時間Ｔｂを大きく設定する（Ｔａ＜Ｔｂ）。よって、トリガ操作開始４０１から記録処理開始４０４までの遅延時間は、（ａ）のアウトカメラ使用時よりも（ｂ）のインカメラ使用時の方が大きくなる。このように、第二撮像部１２４（アウトカメラ）と第一撮像部１２３（インカメラ）のいずれのカメラを使用するかの選択に連動して、前記遅延時間を自動的に切り換える。これにより、撮影対象（外部被写体／自画像）に応じた最適な映像を記録することができる。
【００４６】
ここにトリガ操作開始４０１から記録処理開始４０４までの遅延時間には、トリガ認識処理４０２と待機処理４０３が含まれる。トリガ認識処理４０２には、音声入力部１３３が命令音声を入力する処理、音声認識実行部１０４ｃが前記入力した命令音声の音声データと前記登録済み命令音声の音声データとのデータ一致率を確認する処理、が含まれる。よってトリガ認識処理４０２に要する時間は、基本的にゼロとはならない。一方待機処理４０３は、記録処理開始４０４のタイミングを調整するために故意に挿入した処理である。よって、第二撮像部１２４（アウトカメラ）使用時においては、遅延時間をより短縮するために待機処理４０３の待機時間Ｔａはゼロに近いことが好ましい。
【００４７】
また、（ａ）のアウトカメラ使用時の待機時間Ｔａと、（ｂ）のインカメラ使用時の待機時間Ｔｂには、予めそれぞれ異なる固定値を設定しても良いが、ユーザによってそれぞれに任意の値を設定できるようにしても良い。ユーザが設定する場合、予め用意された複数の値の中から選択する方法でも良い。その場合でも、待機時間Ｔａよりも待機時間Ｔｂを大きく設定することは勿論である。図６の遅延時間設定アイコン３１４は、ユーザによる遅延時間（待機時間）の設定を行うためのものである。
【００４８】
記録シーケンス４０５では、映像データをストレージ部１１０（あるいは画像データサーバ２１２やその他のメモリデバイス）への記録処理だけでなく、カメラユニットの合焦、露光処理、ＣＣＤ／ＣＭＯＳセンサ出力のＡ／Ｄ変換処理、ガンマ補正、ノイズ除去、画像圧縮処理を行う。
【００４９】
本実施例によれば、前記特許文献１のような、予め複数の命令音声を用意し前記命令音声に応じて記録処理の開始タイミングを遅らせる方式と比較し、命令音声の選択誤りにより撮影タイミングを失う恐れがない。また、遅延時間が異なる複数の撮影モード（例えば、通常モードとセルフタイマーモード）を備えるカメラ装置と比較して、撮影の都度、前記モードの確認／選択を行う必要が無いため、使い勝手が良い。
【００５０】
次に、本実施例の映像記録装置１００のカメラ動作の流れを詳細に説明する。但し、合焦や露光等のカメラ装置としての一般的な動作／操作に関しては、公知であるものとして説明を省略する。また、説明を簡単にするために、主制御部１０１がＲＯＭ１０３やストレージ部１１０に格納された各種プログラムをＲＡＭ１０４に展開して実行する処理を、ＲＡＭ１０４の各実行部１０４ａ〜１０４ｄが実行する処理として記述する。
【００５１】
図１０は、映像記録装置１００のカメラ動作の流れを示すフローチャートである。図５の基本画面３００においてアイコン３０２を選択すると、基本動作実行部１０４ａはカメラ機能実行部１０４ｂを起動し、制御主体をカメラ機能実行部１０４ｂに委譲する。
【００５２】
カメラ機能実行部１０４ｂは、図６のカメラ機能選択メニュー画面３１０を表示し（Ｓ５０１）、ユーザによりいずれの機能メニュー（アイコン）が選択されたかを判定する（Ｓ５０２）。
【００５３】
Ｓ５０２において、ユーザが（１）アウトカメラ選択アイコン３１１を選択した場合、カメラ機能実行部１０４ｂは、第二撮像部１２４を有効化してアウトカメラからの映像データの入力を開始する（Ｓ５０３）とともに、入力した映像データを表示部１２１にライブビュー表示する（Ｓ５０５）。また、ユーザが（２）インカメラ選択アイコン３１２を選択した場合は、カメラ機能実行部１０４ｂは、第一撮像部１２３を有効化してインカメラからの映像データの入力を開始する（Ｓ５０４）とともに、入力した映像データを表示部１２１にライブビュー表示する（Ｓ５０５）。
【００５４】
Ｓ５０２において、ユーザが（３）命令音声登録アイコン３１３を選択した場合、カメラ機能実行部１０４ｂは、音声認識実行部１０４ｃを起動し、命令音声登録処理（Ｓ６００）を実行する。この命令音声登録処理（Ｓ６００）については別途図１１で説明する。なお、Ｓ５０２において、ユーザが終了アイコン３１５を選択した場合には（図示せず）、カメラ機能実行部１０４ｂは制御主体を基本動作実行部１０４ａに返却する。基本動作実行部１０４ａは基本画面３００を表示して、カメラ機能実行部１０４ｂの動作を終了する。
【００５５】
Ｓ５０５では、カメラ機能実行部１０４ｂは、図８のライブビュー表示画面３３０を表示し、また音声認識実行部１０４ｃを起動する。そして、ユーザがトリガ操作としてシャッタアイコン３３３を選択したか（Ｓ５０６）、あるいは、音声入力部１３３から命令音声の入力が有るか（Ｓ５０７）、を判定する。Ｓ５０６において、ユーザがシャッタアイコン３３３を選択した場合は、Ｓ５０９へ進む。
【００５６】
Ｓ５０７において、音声入力部１３３からの命令音声の入力を検知した場合は、カメラ機能実行部１０４ｂは入力した命令音声の音声データを音声認識実行部１０４ｃに転送する。音声認識実行部１０４ｃは、入力した命令音声の音声データと、ストレージ部１１０の各種情報／データ記憶領域１１０ａに登録されている登録済み命令音声の音声データとを比較し、入力した命令音声が正しいかどうかを判定する（Ｓ５０８）。具体的には、音声認識実行部１０４ｃは、入力した命令音声の音声データと登録済み命令音声の音声データとのデータ一致率を求め、一致率が予め定めた閾値以上であるか否かで判定する。判定結果はカメラ機能実行部１０４ｂへ送られ、命令音声が正しい時はＳ５０９へ進む。命令音声が正しくない時は、入力した命令音声の音声データを破棄してＳ５０６へ戻り、再度、シャッタアイコン３３３の選択、または新たな命令音声の入力（Ｓ５０７）を待つ。
【００５７】
Ｓ５０９では、カメラ機能実行部１０４ｂは、現在起動中のカメラは第一撮像部１２３（インカメラ）と第二撮像部１２４（アウトカメラ）のいずれか（すなわち、Ｓ５０２にて選択されたアイコンはアウトカメラ選択アイコン３１１とインカメラ選択アイコン３１２のいずれか）を確認する。
【００５８】
（１）のアウトカメラが起動されている場合は、カメラ機能実行部１０４ｂは、所定の待機処理（待機時間Ｔａ：小）を実行し（Ｓ５１０）、その後記録シーケンスを開始する（Ｓ５１２）。一方、（２）のインカメラが起動されている場合は、カメラ機能実行部１０４ｂは、所定の待機処理（待機時間Ｔｂ：大）を実行し（Ｓ５１１）、その後記録シーケンスを開始する（Ｓ５１２）。なお、Ｓ５１１の待機処理においては、図１３で後述するタイミング表示処理を並行して行っても良い。Ｓ５１２の記録シーケンスが終了したらＳ５０６に戻り、次のトリガ操作を待つ。
【００５９】
このように本実施例のカメラ動作では、音声入力部１３３に入力した命令音声、若しくはシャッタアイコン３３３の選択処理をトリガとして記録処理を開始する。その際、アウトカメラとインカメラのいずれが起動しているかに連動して、トリガを受けたタイミングから記録開始までの遅延時間を自動的に切り換えるようにしている。
【００６０】
なお、Ｓ５０８における入力音声の判定は、上記した音声データの一致率の比較だけでなく、声紋データ等の詳細比較、あるいはキーワードの一致のみの比較により行うこともできる。声紋データ等で詳細比較する場合は、命令音声登録処理を行ったユーザ本人のみが当該映像記録装置１００を使用可能となり、セキュリティが向上する。一方、キーワード比較のみで行う場合は、ユーザを含め誰でも当該映像記録装置１００を使用可能となり、使い勝手が向上する。よって、使用環境に応じて比較方法を切り替え、特定ユーザに限定するか、あるいは限定しないかを切り替えることも可能である。
【００６１】
図１１は、図１０における命令音声登録処理（Ｓ６００）の流れを示すフローチャートである。
カメラ機能実行部１０４ｂは音声認識実行部１０４ｃを起動し、図７に示した命令音声登録画面３２０を表示し（Ｓ６０１）、ユーザが画面内のいずれのアイコンを選択するかを判定する（Ｓ６０２）。ユーザが（１）の録音開始／停止アイコン３２１を選択した場合は、Ｓ６０３へ進み命令音声の録音動作を行う。ユーザが（２）の再生開始／停止アイコン３２２を選択した場合は、Ｓ６０６へ進み命令音声の再生動作を行う。また、ユーザが（３）の戻るアイコン３２３を選択した場合は、カメラ機能実行部１０４ｂは音声認識実行部１０４ｃの動作を終了して、図１０のＳ５０１に移行する。
【００６２】
Ｓ６０３の録音動作では、カメラ機能実行部１０４ｂは、音声入力部１３３から入力する音声信号の録音処理を開始する。そして、録音処理実行中にユーザが再度録音開始／停止アイコン３２１を選択したことを検知すると（Ｓ６０４）、音声入力部１３３から入力する音声信号の録音処理を終了する。音声認識実行部１０４ｃは、カメラ機能実行部１０４ｂの制御に基づいて、録音した音声データを命令音声としてストレージ部１１０の各種情報／データ記憶領域１１０ａに登録する（Ｓ６０５）。その後、カメラ機能実行部１０４ｂは制御をＳ６０１に移行する。
【００６３】
Ｓ６０６の再生動作では、音声認識実行部１０４ｃはカメラ機能実行部１０４ｂの制御に基づいて、命令音声がストレージ部１１０の各種情報／データ記憶領域１１０ａに登録されているか否かを確認する。命令音声が登録されていれば、音声認識実行部１０４ｃは、登録済み命令音声を各種情報／データ記憶領域１１０ａから読み出し、カメラ機能実行部１０４ｂは読み出した登録済み命令音声の再生処理を開始する。再生された登録済み命令音声の音声信号は、音声出力部１３１から出力される（Ｓ６０７）。そしてカメラ機能実行部１０４ｂは、再生処理実行中にユーザが再度再生開始／停止アイコン３２２を選択したことを検知すると（Ｓ６０８）、登録済み命令音声の再生処理を終了する（Ｓ６０９）。その後、カメラ機能実行部１０４ｂは制御をＳ６０１に移行する。
【００６４】
なお、Ｓ６０６で命令音声が登録されていない場合は、カメラ機能実行部１０４ｂはその旨を表示部１２１に表示した後、制御をＳ６０１に移行する。また、Ｓ６０８において、ユーザが再度再生開始／停止アイコン３２２を選択したことを検知しない場合でも、前記登録済み命令音声の全データの再生処理を終えた後は、制御をＳ６０１に移行する。
【００６５】
以上説明した命令音声登録処理により、ユーザの好みの音声を、記録処理開始のトリガとして使用する命令音声として登録すること、及び登録済みの命令音声の確認を行うことが可能となる。
【００６６】
次に、本実施例の映像記録装置１００の更なる機能について説明する。
図１２は、２つのカメラ映像を合成して表示する画面例を示す図である。この場合には、第一撮像部１２３（インカメラ）と第二撮像部１２４（アウトカメラ）の双方を同時に有効化して、２つの映像データの入力を行う。ライブビュー表示画面３３０のライブビューウィンドウ３３６には、アウトカメラから入力した映像データ３３６ａとインカメラから入力した映像データ３３６ｂがＰｉｎＰ（Picture in Picture）の形式で合成されて表示される。
【００６７】
このようにＰｉｎＰの形式で合成された映像データの記録処理は次のように行う。トリガ操作（命令音声入力）を受けると、アウトカメラの映像データ３３６ａについては待機時間Ｔａ(小）の待機処理を行い、インカメラからの映像データ３３６ｂについては待機時間Ｔｂ(大）の待機処理を行う。そして、両者の映像データを合成して記録する。このようにすれば、２つカメラからの映像データをそれぞれ最適な状態で記録することができる。
【００６８】
但し、上記方法によれば２つの映像データに所定の時間差が生じることになり、被写体の状況によっては合成後の映像に不自然さを与える場合がある。そのような場合は、両者の待機時間を一致させるようにする。具体的には、インカメラでの待機時間Ｔｂ(大）をアウトカメラの待機時間にも適用する。このようにすれば、合成される２つの映像データに時間差がなく、不自然さを解消することができる。２つの映像データの待機時間を等しくするか、あるいは異ならせるかについては、選択スイッチを設けて被写体の状況に応じてユーザが選択することもできる。
【００６９】
図１３は、記録タイミングを表示する画面例を示す図である。
前述のように本実施例では、トリガ操作（命令音声入力）から記録開始まで遅延時間を設けている。特に第一撮像部１２３（インカメラ）からの映像を記録する場合には、待機処理の待機時間Ｔｂは大きくなる。そのためユーザは、実際の記録処理がいつ開始されるか分からず、不便さを感じる場合がある。そこでこれを解消するため、表示部に記録開始のタイミングを表示するようにした。
【００７０】
（ａ）は、ライブビュー表示画面３３０を示し、カメラ映像を表示しながらトリガ操作を待つ状態である。ここでは、ライブビューウィンドウ３３５にはインカメラからの映像データを表示している。またトリガ操作を受け付けるため、命令音声受付中アイコン３３１とシャッタアイコン３３３を表示している。この状態でユーザは、トリガ操作として命令音声を発するか、シャッタアイコン３３３を選択する。
【００７１】
（ｂ）は、トリガ操作を受けた後の記録タイミング表示画面３４０を示す。前記したトリガ操作用の命令音声受付中アイコン３３１とシャッタアイコン３３３を消去し、タイミング表示実行部１０４ｄにより、タイミング表示アイコン３４１を表示する。この状態では、トリガ認識処理と所定の待機処理（この例では待機時間Ｔｂ：大）を実行する。
【００７２】
タイミング表示アイコン３４１は、マイク印３４１ａとプログレスバー３４１ｂとカメラ印３４１ｃとで構成され、プログレスバー３４１には記録開始までの時間経過（白塗り）を表示する。表示状態はタイミング表示実行部１０４ｄにより制御され、前記した待機処理に連動する。すなわち、起点であるマイク印３４１ａからバーが伸び始めるのは、命令音声の音声認識処理が完了した時点とし、終点であるカメラ印３４１ｃに達すると記録シーケンスが開始される。ユーザはタイミング表示アイコン３４１のプログレスバー３４１ｂのバー表示を視認することにより、待機処理の時間経過と記録処理開始のタイミングを容易に知ることができる。
【００７３】
なお、タイミング表示アイコン３４１のデザインは各種可能である。前記プログレスバーに代えて、例えば、数値によるカウントダウンやアナログ時計形状のアニメーションによる残時間表示が可能であり、残時間が概略把握できるものであればどのようなデザインでも良い。
【００７４】
上記した記録タイミング表示画面３４０を表示するのは、待機時間Ｔｂが大きい第一撮像部１２３（インカメラ）を使用時に有効である。一方、待機時間Ｔａが小さい第二撮像部１２４（アウトカメラ）を使用する時には、プログレスバー３４１ｂの表示が瞬間的に終了するので、あまり意味がない。しかしながら、その待機時間Ｔａがある程度大きい値に設定されている場合には有効となるので、待機時間の長さを閾値と比較し、閾値よりも大きい場合は表示するように切り替えることが好ましい。
【００７５】
以上説明したように、本実施例の映像記録装置１００は、記録処理開始のトリガ操作を検知してから記録処理が開始されるまでの間に遅延時間を設け、２つのカメラユニット（アウトカメラとインカメラ）のいずれを使用するかに応じて遅延時間の大きさを自動的に切り替えるようにした。これにより、命令音声入力をトリガとして記録処理を開始する場合、インカメラでユーザ自身を撮影する場合（自画撮り）にも、自然なポーズで被写体を撮影することが可能となる。また、記録タイミング表示画面３４０を表示することにより、トリガ操作と記録処理の間に遅延時間を設けた場合にも、実際に記録処理が行われるタイミングを容易に把握することが可能となる。これより、より使い勝手の良い映像記録装置を提供できる。
【００７６】
以上、本発明の実施形態をいくつか説明したが、本発明の技術を実現する構成は前記実施例に限られるものではなく、様々な適用例と変形例が可能である。すなわち前記実施例では適用装置を映像記録装置と呼んで説明したが、具体的には、カメラ機能を備えた携帯電話やスマートホン、タブレット端末の他、デジタルスチルカメラ、携帯情報端末（ＰＤＡ）、ノート型ＰＣであっても良い。更に、ビデオカメラや携帯型ゲーム機、その他の携帯用デジタル機器であっても良い。また、実施例や図中に現れる数値や表示用語等はあくまでも一例であり、適用装置に応じて等価なものであれば本発明の効果を損なうことはない。
【００７７】
前述した本発明の機能等は、それらの一部または全部を、例えば集積回路で設計する等によりハードウェアで実現しても良い。また、マイクロプロセッサユニット等がそれぞれの機能等を実現するプログラムを解釈して実行することによりソフトウェアで実現しても良い。ハードウェアとソフトウェアを併用しても良い。
【００７８】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【００７９】
１００：映像記録装置、１０１：主制御部、１０２：システムバス、１０３：ＲＯＭ、１０４：ＲＡＭ、１０４ａ：基本動作実行部、１０４ｂ：カメラ機能実行部、１０４ｃ：音声認識実行部、１０４ｄ：タイミング表示実行部、１１０：ストレージ部、１２０：映像処理部、１２１：表示部、１２２：映像信号処理部、１２３：第一撮像部（インカメラ）、１２４：第二撮像部（アウトカメラ）、１３０：音声処理部、１３１：音声出力部、１３２：音声信号処理部、１３３：音声入力部、１４０：操作部、１５０：通信処理部、１６０：センサ部、１７０：拡張インタフェース部、３００：基本画面、３１０：カメラ機能選択メニュー画面、３２０：命令音声登録画面、３３０：ライブビュー表示画面、３４０：記録タイミング表示画面。
【図１】
2015037104.tif 000003
【図２】
2015037104.tif 000004
【図３】
2015037104.tif 000005
【図４】
2015037104.tif 000006
【図５】
2015037104.tif 000007
【図６】
2015037104.tif 000008
【図７】
2015037104.tif 000009
【図８】
2015037104.tif 000010
【図９】
2015037104.tif 000011
【図１０】
2015037104.tif 000012
【図１１】
2015037104.tif 000013
【図１２】
2015037104.tif 000014
【図１３】
2015037104.tif 000015
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
撮像部と表示部と記録部を備え、前記撮像部から入力した映像信号を前記表示部に表示するとともに該映像信号を前記記録部により記録する映像記録装置において、
前記撮像部は、
当該装置の筺体の前記表示部と同一面に配置された第一撮像部と、
当該装置の筺体の前記表示部と異なる面に配置された第二撮像部と、を有し、
前記第一撮像部及び前記第二撮像部のいずれを有効化するかを選択する操作部と、
前記映像信号の記録を指示する命令音声を入力する音声入力部と、
前記音声入力部に入力した前記命令音声に従い、前記記録部に対し、前記操作部により有効化された撮像部から入力する映像信号の記録処理を開始させる制御部と、を備え、
該制御部は、前記操作部によりいずれの撮像部が有効化されたかに応じて、前記命令音声が入力してから前記記録部による記録処理を開始するまでの遅延時間を異ならせることを特徴とする映像記録装置。
【請求項２】
請求項１に記載の映像記録装置において、
前記制御部は、前記操作部により前記第一撮像部が有効化された場合の前記遅延時間を、前記第二撮像部が有効化された場合の前記遅延時間よりも大きくなるように設定することを特徴とする映像記録装置。
【請求項３】
請求項１または２に記載の映像記録装置において、
前記制御部の設定する前記遅延時間は、ユーザにより任意に設定または選択が可能であることを特徴とする映像記録装置。
【請求項４】
請求項１または２に記載の映像記録装置において、
前記映像信号の記録を指示するために用いる命令音声を予め登録する記憶部と、
前記音声入力部に入力した命令音声が前記記憶部に登録された命令音声と一致するか否かを判定する命令音声認識部とを備え、
前記制御部は、前記命令音声認識部により入力した命令音声が前記記憶部に登録された命令音声と一致しないと判定した時、前記入力した命令音声を無効にすることを特徴とする映像記録装置。
【請求項５】
請求項１または２に記載の映像記録装置において、
前記制御部は、前記表示部に対し、前記記録部による記録処理が開始されるタイミングを示す記録タイミング表示アイコンを表示することを特徴とする映像記録装置。
【請求項６】
請求項５に記載の映像記録装置において、
前記制御部は、前記遅延時間が閾値よりも大きい場合にのみ前記記録タイミング表示アイコンを表示することを特徴とする映像記録装置。
【請求項７】
請求項１乃至６のいずれか一項に記載の映像記録装置であって、
当該装置は、前記記録部により１枚の静止画を単位として記録するデジタルスチルカメラを含むことを特徴とする映像記録装置。
【請求項８】
請求項１乃至６のいずれか一項に記載の映像記録装置であって、
当該装置は、電話網通信部により外部機器と通話を可能とするカメラ付き携帯電話を含むことを特徴とする映像記録装置。
【請求項９】
請求項１乃至６のいずれか一項に記載の映像記録装置であって、
当該装置は、無線通信部により外部機器と無線通信を介して情報を送受信する携帯情報端末を含むことを特徴とする映像記録装置。
【請求項１０】
撮像部から入力した映像信号を記録部により記録するカメラ機能制御プログラムであって、
前記撮像部として、筺体の表示部と同一面に配置された第一撮像部と、前記表示部と異なる面に配置された第二撮像部のいずれを有効化するかを選択する撮像部選択工程と、
前記映像信号の記録を指示する命令音声を入力する音声入力工程と、
前記音声入力工程で入力した命令音声が予め登録された命令音声と一致するか否かを判定する命令音声認識工程と、
前記命令音声認識工程により一致すると判定された場合、前記撮像部選択工程にていずれの撮像部が有効化されたかに応じて、前記命令音声が入力してから前記記録部による記録処理を開始するまでの遅延時間を異ならせて遅延処理を行う遅延処理工程と、
前記遅延処理工程の後に、前記有効化された撮像部から入力する映像信号の記録処理を行う記録工程と、
をコンピュータに実行させることを特徴とするカメラ機能制御プログラム。
【手続補正２】
【補正対象書類名】明細書
【補正対象項目名】００２７
【補正方法】変更
【補正の内容】
【００２７】
ＲＡＭ１０４は、各種プログラム実行時のワークエリアであり、基本動作実行部１０４ａ、カメラ機能実行部１０４ｂ、音声認識実行部１０４ｃ、タイミング表示実行部１０４ｄ、一時記憶領域１０４ｅ等で構成される。例えば基本動作実行部１０４ａは、ＲＯＭ１０３に格納された基本動作プログラム１０３ａがＲＡＭ１０４に展開され、主制御部１０１が展開された基本動作プログラムを実行することで構成される。一方、カメラ機能実行部１０４ｂ、音声認識実行部１０４ｃ、及びタイミング表示実行部１０４ｄは、ストレージ部１１０に記憶されたカメラ機能プログラム１１０ｂ、音声認識プログラム１１０ｃ、及びタイミング表示プログラム１１０ｄがＲＡＭ１０４に展開され、主制御部１０１により実行されることによって構成される。一時記憶領域１０４ｅは、各種アプリケーションプログラム実行時に、必要に応じてデータを一時的に保持する領域である。本実施例では、カメラ機能実行部１０４ｂ、音声認識実行部１０４ｃ、及びタイミング表示実行部１０４ｄにより実行するカメラ動作（記録開始のタイミング切り替え）に特徴がある。
【手続補正３】
【補正対象書類名】明細書
【補正対象項目名】００７２
【補正方法】変更
【補正の内容】
【００７２】
タイミング表示アイコン３４１は、マイク印３４１ａとプログレスバー３４１ｂとカメラ印３４１ｃとで構成され、プログレスバー３４１ｂには記録開始までの時間経過（白塗り）を表示する。表示状態はタイミング表示実行部１０４ｄにより制御され、前記した待機処理に連動する。すなわち、起点であるマイク印３４１ａからバーが伸び始めるのは、命令音声の音声認識処理が完了した時点とし、終点であるカメラ印３４１ｃに達すると記録シーケンスが開始される。ユーザはタイミング表示アイコン３４１のプログレスバー３４１ｂのバー表示を視認することにより、待機処理の時間経過と記録処理開始のタイミングを容易に知ることができる。
【国際調査報告】
2015037104.tif 000016
2015037104.tif 000017
2015037104.tif 000018
2015037104.tif 000019